(57)【要約】【課題】換気システムのセンサの数量を削減する。【解決手段】換気システム（S）には、複数の換気装置（20）の中から、センサ（40,40a）を取り付ける対象である第１換気装置（20-o）と、センサ（40,40a）の検出信号を共有させる対象である第２換気装置（20-s）とを設定する設定部（63）と、センサ（40,40a）の検出信号を受信するとともに、設定部（63）に設定した第１換気装置（20-o）及び第２換気装置（20-s）の各制御装置（50）に検出信号を送信する送受信部（64）とが設けられる。各制御装置（50）は、送受信部（64）から送信された検出信号に基づいて、対応する換気装置（20）をそれぞれ制御する。【選択図】図４
2020008250.tif 000002
【特許請求の範囲】
【請求項１】
複数の換気装置（20）と、
前記複数の換気装置（20）の中の所定の換気装置（20）に取り付けられるとともに、空気の状態を検出するセンサ（40,40a）と、
前記複数の換気装置（20）の中から、前記センサ（40,40a）を取り付ける対象である第１換気装置（20-o）と、該センサ（40,40a）の検出信号を共有させる対象である第２換気装置（20-s）とを設定する設定部（63）と、
前記センサ（40,40a）の検出信号を受信するとともに、前記設定部（63）に設定した前記第１換気装置（20-o）及び第２換気装置（20-s）の各制御装置（50）に前記検出信号を送信する送受信部（64）とを備え、
前記各制御装置（50）は、前記送受信部（64）から送信された前記検出信号に基づいて、対応する換気装置（20）をそれぞれ制御することを特徴とする換気システム。
【請求項２】
請求項１において、
前記複数の換気装置（20）の運転指令を前記各制御装置（50）に送信するリモコン（60）を備え、
前記設定部（63）及び前記送受信部（64）は、前記リモコン（60）に設けられることを特徴とする換気システム。
【請求項３】
請求項２において、
前記リモコン（60）は、前記第１換気装置（20-o）をＯＦＦさせ、前記第２換気装置（20-s）をＯＮさせる運転指令を送信しないことを特徴とする換気システム。
【請求項４】
請求項３において、
前記リモコン（60）は、
前記複数の換気装置（20）の全てをＯＮさせる第１運転指令と、前記複数の換気装置（20）の全てをＯＦＦさせる第２運転指令とを送信する一方、
前記複数の換気装置（20）の一部をＯＮさせ、残りをＯＦＦさせる運転指令を送信しないことを特徴とする換気システム。
【請求項５】
請求項１乃至４のいずれか１つにおいて、
前記設定部（63）には、前記複数の換気装置（20）の中から、前記第１換気装置（20-o）及び前記第２換気装置（20-s）を変更可能に設定されることを特徴とする換気システム。
【請求項６】
請求項１乃至５のいずれか１つにおいて、
前記第１換気装置（20-o）から前記送受信部（64）に、前記センサ（40,40a）の検出信号が受信されないときに、異常を示す信号を出力する異常判定部（65）を備えていることを特徴とする換気システム。
【発明の詳細な説明】
【技術分野】
【０００１】
本開示は、換気システムに関する。
【背景技術】
【０００２】
室内の換気を行う換気装置が知られている。
【０００３】
特許文献１の換気装置は、給気ファンが配置される給気通路と、排気ファンが配置される排気通路とを備える。給気通路には、空気状態を検出するセンサ（例えば湿度センサ）が設けられる。給気ファン及び排気ファンが運転されると、室内空気が排気通路に吸い込まれると同時に室外空気が給気通路に吸い込まれる。これらの空気は、全熱交換器を流れる。全熱交換器では、室内空気と室外空気との間で、潜熱及び顕熱が交換する。全熱交換器を通過した室内空気は室外に排出される。全熱交換器を通過した室外空気は室内に供給される。
【０００４】
特許文献１の換気装置では、制御部が、給気ファン及び排気ファンを制御する。例えば制御部は、湿度センサの検出信号に基づいて、給気ファン及び排気ファンの発停の制御を行う。
【先行技術文献】
【特許文献】
【０００５】
【特許文献１】特開２０１５−１４３５９３号公報
【発明の概要】
【発明が解決しようとする課題】
【０００６】
特許文献１に開示のような換気装置を複数台設け、換気システムを構成することが考えられる。この場合、複数の換気装置毎にそれぞれセンサを設けると、センサの数量が多くなってしまう。
【０００７】
本開示の目的は、換気システムのセンサの数量を削減することである。
【課題を解決するための手段】
【０００８】
第１の態様は、
複数の換気装置（20）と、
前記複数の換気装置（20）の中の所定の換気装置（20）に取り付けられるとともに、空気の状態を検出するセンサ（40,40a）と、
前記複数の換気装置（20）の中から、前記センサ（40,40a）を取り付ける対象である第１換気装置（20-o）と、該センサ（40,40a）の検出信号を共有させる対象である第２換気装置（20-s）とを設定する設定部（63）と、
前記センサ（40,40a）の検出信号を受信するとともに、前記設定部（63）に設定した前記第１換気装置（20-o）及び第２換気装置（20-s）の各制御装置（50）に前記検出信号を送信する送受信部（64）とを備え、
前記各制御装置（50）は、前記送受信部（64）から送信された前記検出信号に基づいて、対応する換気装置（20）をそれぞれ制御することを特徴とする換気システムである。
【０００９】
第１の態様では、設定部（63）に第１換気装置（20-o）及び第２換気装置（20-s）が設定される。第１換気装置（20-o）は、空気の状態を検出するセンサ（40,40a）が取り付ける対象となる換気装置である。第２換気装置（20-s）は、第１換気装置（20-o）のセンサ（40,40a）の検出信号を共有させる対象となる換気装置である。送受信部（64）は、第１換気装置（20-o）のセンサ（40,40a）の検出信号を受信し、この検出信号を第１換気装置（20-o）及び第２換気装置（20-s）の各制御装置（50）に送信する。これにより、第１換気装置（20-o）の制御装置（50）、及び第２換気装置（20-s）の制御装置（50）は、第１換気装置（20-o）のセンサ（40,40a）で検出した検出信号に基づいて各換気装置（20）を制御する。つまり、第１換気装置（20-o）に取り付けたセンサ（40,40a）が、第１換気装置（20-o）と第２換気装置（20-s）の双方に制御に利用される。
【００１０】
第２の態様は、第１の態様において、
前記複数の換気装置（20）の運転指令を前記各制御装置（50）に送信するリモコン（60）を備え、
前記設定部（63）及び前記送受信部（64）は、前記リモコン（60）に設けられることを特徴とする換気システムである。
【００１１】
第２の態様では、各換気装置（20）に運転指令を送信するためのリモコン（60）に、送受信部（64）が設けられる。このため、この運転指令を送るための信号回線（有線及び無線を含む）を、センサ（40,40a）の検出信号を送るための回線として利用できる。
【００１２】
第３の態様は、第２の態様において、
前記リモコン（60）は、前記第１換気装置（20-o）をＯＦＦさせ、前記第２換気装置（20-s）をＯＮさせる運転指令を送信しないことを特徴とする換気システムである。
【００１３】
第３の態様では、リモコン（60）の操作により、一部の換気装置（20）をＯＮさせ、残りをＯＦＦさせる運転指令が送信されない。このため、センサ（40,40a）が取り付けられた第１換気装置（20-o）が停止状態のときに、このセンサ（40,40a）の検出信号に基づいて第２換気装置（20-s）の制御が行われることを回避できる。
【００１４】
第４の態様は、第３の態様において、
前記リモコン（60）は、
前記複数の換気装置（20）の全てをＯＮさせる第１運転指令と、前記複数の換気装置（20）の全てをＯＦＦさせる第２運転指令とを送信する一方、
前記複数の換気装置（20）の一部をＯＮさせ、残りをＯＦＦさせる運転指令を送信しないことを特徴とする換気システムである。
【００１５】
第４の態様では、センサ（40,40a）が取り付けられる第１換気装置（20-o）をＯＦＦさせつつ、第２換気装置（20-s）をＯＮさせる運転を行わない。このため、停止状態の第１換気装置（20-o）のセンサ（40,40a）の検出信号に基づいて、第２換気装置（20-s）が制御されてしまうことを回避できる。
【００１６】
第５の態様は、第１乃至４の態様のいずれか１つにおいて、
前記設定部（63）には、前記複数の換気装置（20）の中から、前記第１換気装置（20-o）及び前記第２換気装置（20-s）を変更可能に設定されることを特徴とする換気システムである。
【００１７】
第５の態様では、センサ（40,40a）を取り付ける換気装置（20）が変更された場合に、これに応じて、複数の換気装置（20）の中から第１換気装置（20-o）及び第２換気装置（20-s）を適宜変更できる。
【００１８】
第６の態様は、第１乃至５の態様のいずれか１つにおいて、
前記第１換気装置（20-o）から前記送受信部（64）に、前記センサ（40,40a）の検出信号が受信されないときに、異常を示す信号を出力する異常判定部（65）を備えていることを特徴とする換気システムである。
【００１９】
第６の態様では、第１換気装置（20-o）にセンサ（40,40a）が取り付けられていない、あるいはセンサ（40,40a）の配線不良などに起因して、該センサ（40,40a）の検出信号が送受信部（64）に受信されない場合、異常判定部（65）が異常を示す信号を出力する。これにより、ユーザ等は、このようなセンサ（40,40a）の不具合を速やかに把握できる。
【図面の簡単な説明】
【００２０】
【図１】図１は、実施形態に係る換気システムの概略の全体構成図である。
【図２】図２は、換気装置の概略構成図である。
【図３】図３は、換気システムの制御装置及びリモコンのブロック図である。
【図４】図４は、換気システムに二酸化炭素濃度センサを取り付けた第１の例と、該第１の例に対応する設定部の設定例を示す構成図である。
【図５】図５は、換気運転の制御フローチャートである。
【図６】図６は、換気システムに二酸化炭素濃度センサを取り付けた第２の例と、該第２の例に対応する設定部の設定例を示す構成図である。
【図７】図７は、換気システムに二酸化炭素濃度センサを取り付けた第３の例と、該第３の例に対応する設定部の設定例を示す構成図である。
【発明を実施するための形態】
【００２１】
以下、本実施形態について図面を参照しながら説明する。なお、以下の実施形態は、本質的に好ましい例示であって、本開示、その適用物、あるいはその用途の範囲を制限することを意図するものではない。
【００２２】
《実施形態》
実施形態に係る換気システム（10）は、複数の換気ユニット（U）を備えている。複数の換気ユニット（U）は、同一の室内空間を換気対象としている。換気ユニット（U）は、例えば天井裏に配置される。図１に模式的に示すように、本例の換気システム（10）には、４台の換気ユニット（U）が設けられている。換気ユニット（U）の数量はこれに限らず、２台以上であれば如何なる数量であってもよい。各換気ユニット（U）は、換気装置（20）と制御装置（50）とをそれぞれ１つずつ備えている。
【００２３】
〈換気装置〉
各換気装置（20）の概略構成について図２を参照しながら説明する。各換気装置（20）は、ケーシング（21）、給気ファン（31）、排気ファン（32）、全熱交換器（33）、及び二酸化炭素濃度センサ（40）をそれぞれ備えている。
【００２４】
ケーシング（21）は、中空の箱状に形成される。ケーシング（21）には、外気口（22）、排気口（23）、内気口（24）、及び給気口（25）が形成される。外気口（22）及び排気口（23）のそれぞれは、ダクトを介して室外空間と連通している。内気口（24）及び給気口（25）のぞれぞれは、ダクトを介して室内空間と連通している。
【００２５】
ケーシング（21）の内部には、給気通路（26）と排気通路（27）とが形成される。給気通路（26）は、外気口（22）から給気口（25）に亘って形成される。排気通路（27）は、内気口（24）から排気口（23）に亘って形成される。給気通路（26）には給気ファン（31）が配置され、排気通路（27）には排気ファン（32）が配置される。
【００２６】
給気ファン（31）及び排気ファン（32）は、例えばシロッコファンで構成される。給気ファン（31）及び排気ファン（32）は、各々の風量が可変に構成される。具体的には、本例の給気ファン（31）及び排気ファン（32）の風量は、ファンタップに応じて多段階に切換可能である。
【００２７】
全熱交換器（33）は、給気通路（26）及び排気通路（27）に跨がるように配置される。全熱交換器（33）は、給気通路（26）に接続する第１通路（34）と、排気通路（27）に接続する第２通路（35）とを有する。全熱交換器（33）は、第１通路（34）を流れる第１空気と、第２通路（35）を流れる第２空気との間で、顕熱及び潜熱を交換させる。
【００２８】
二酸化炭素濃度センサ（40）は、室内空気の二酸化炭素濃度を検出する。つまり、二酸化炭素濃度センサ（40）は、空気の状態（ここでは二酸化炭素濃度）を検出するセンサを構成する。二酸化炭素濃度センサ（40）は、排気通路（27）における全熱交換器（33）の上流側に配置される。
【００２９】
〈制御装置〉
制御装置（50）は、例えば制御基板と、制御基板に搭載されたプロセッサ（例えばマイクロコントローラ）と、該プロセッサを動作させるためのソフトウェアを格納するメモリディバイス（例えば半導体メモリ）とを有する。
【００３０】
図３に示すように、制御装置（50）は、給気ファン（31）及び排気ファン（32）を制御するためのファン制御部（51）と、二酸化炭素濃度センサ（40）が着脱可能に接続される接続端子（52）と、リモコン（60）側と信号の授受を行うための第１送受信部（53）とを備えている。
【００３１】
ファン制御部（51）は、二酸化炭素濃度センサ（40）の検出信号に基づいて、給気ファン（31）及び排気ファン（32）を制御する。具体的に、ファン制御部（51）は、この検出信号に基づいて、給気ファン（31）及び排気ファン（32）のＯＮ／ＯＦＦや、風量を切り換えるための制御信号を、給気ファン（31）及び排気ファン（32）に出力する。
【００３２】
接続端子（52）には、二酸化炭素濃度センサ（40）の信号配線が接続される。本実施形態の換気システム（10）では、基本的に、全ての接続端子（52）に二酸化炭素濃度センサ（40）が接続されない。つまり、換気システム（10）では、１つの二酸化炭素濃度センサ（40）を、複数の換気装置（20）が共用する。
【００３３】
各第１送受信部（53）は、共有元換気装置（20-o）の二酸化炭素濃度センサ（40）で検出した検出信号を、リモコン（60）へ送信する。ここで、共有元換気装置（20-o）は、二酸化炭素濃度センサ（40）が取り付けられる対象となる第１換気装置である。リモコン（60）は、受信した検出信号を、共有元換気装置（20-o）及び共有先換気装置（20-s）の各第１送受信部（53）へ送信する。ここで、共有先換気装置（20-s）は、検出信号を共有する対象となる第２換気装置である。この結果、共有元換気装置（20-o）及び共用先換気装置（20-s）の第１送受信部（53）には、共有元換気装置（20-o）の検出信号が間接的に送られることになる（詳細は後述する）。
【００３４】
〈リモコン〉
図１に示すように、リモコン（60）は、全ての換気ユニット（U）に共用される。リモコン（60）は、各換気装置（20）に運転指令を送信する。図３に示すように、リモコン（60）は、表示部（61）、操作部（62）、設定部（63）、第２送受信部（64）、及び異常判定部（65）を備える。
【００３５】
表示部（61）は、例えば液晶モニタで構成される。操作部（62）は、カーソルキーやボタンなどで構成される。ユーザや施工業者などは、操作部（62）を操作することで、各種の設定を切り換えたり、各換気ユニット（U）に運転指令を出力したりできる。
【００３６】
本実施形態の設定部（63）は、全ての換気装置（20）の中から、共有元換気装置（20-o）と共用先換気装置（20-s）とが設定される。更に、設定部（63）では、全ての換気装置（20）の中から二酸化炭素濃度センサ（40）の共有元、及び共有先のいずれの対象にしない単独換気装置（20-i）を設定できる。単独換気装置（20-i）は、自己に接続された二酸化炭素濃度センサ（40）に基づき、自己の換気装置（20）を単独で制御する第３換気装置である。設定部（63）では、全ての換気装置（20）の中から、二酸化炭素濃度センサ（40）の取り付け状態に応じて、共有元換気装置（20-o）、共用先換気装置（20-s）、及び単独換気装置（20-i）を任意に変更しながら設定できる。
【００３７】
第２送受信部（64）には、全ての換気装置（20）の第１送受信部（53）から、二酸化炭素濃度センサ（40）の検出信号が送られる。厳密には、第２送受信部（64）には、共有元換気装置（20-o）の第１送受信部（53）からの検出信号が受信される。一方、第２送受信部（64）は、共用先換気装置（20-s）からの検出信号を受信しようとするが、この検出信号の値はゼロとなる。共用先換気装置（20-s）には、二酸化炭素濃度センサ（40）が取り付けられておらず、共用先換気装置（20-s）の検出信号は実質的にゼロとなるためである。第２送受信部（64）は、共有元換気装置（20-o）であるか、共用先換気装置（20-s）であるかを問わず、全ての換気装置（20）からの検出信号を受信しようとする。
【００３８】
第２送受信部（64）は、このようにして受信した検出信号のうち、共有元換気装置（20-o）から受信した検出信号を、共有元換気装置（20-o）と共用先換気装置（20-s）とへ送信する。これにより、共有元換気装置（20-o）及び共用先換気装置（20-s）は、共有元換気装置（20-o）に接続される二酸化炭素濃度センサ（40）の検出信号に基づいて制御される（詳細は後述する）。
【００３９】
異常判定部（65）は、共有元換気装置（20-o）に接続される二酸化炭素濃度センサ（40）の異常を判定する。つまり、異常判定部（65）は、共有元換気装置（20-o）に設定された換気装置（20）の制御装置（50）から、適切な検出信号が第２送受信部（64）に受信されない場合に、異常を示す信号を出力する。本例のリモコン（60）では、この異常信号に同期して表示部（61）に異常を示すサインが表示される。
【００４０】
−換気運転−
換気装置（20）の基本的な運転動作について、図２を参照しながら説明する。換気装置（20）の換気運転時には、給気ファン（31）及び排気ファン（32）が運転状態となる。この結果、室外空気（OA）が外気口（22）を通じて給気通路（26）に取り込まれると同時に、室内空気（RA）が内気口（24）を通じて排気通路（27）に取り込まれる。
【００４１】
給気通路（26）を流れる室外空気は、全熱交換器（33）の第１通路（34）を流れる。排気通路（27）を流れる室内空気は、全熱交換器（33）の第２通路（35）を流れる。全熱交換器（33）では、第１通路（34）を流れる空気と、第２通路（35）を流れる空気との間で、顕熱及び潜熱が交換される。具体的には、例えば夏季であれば、比較的高温、高湿の室外空気（第１空気）の顕熱及び潜熱が、比較的低温、低湿の室内空気（第２空気）に付与される。例えば冬季であれば、比較的高温、高湿の室内空気（第２空気）の顕熱及び潜熱が、比較的低温、低湿の室外空気（第１空気）に付与される。
【００４２】
全熱交換器（33）を通過した第１空気は、給気口（25）を通じて、供給空気（SA）として室内空間へ供給される。全熱交換器（33）を通過した第２空気は、排気口（23）を通じて、排出空気（EA）として室外空間へ排出される。
【００４３】
このような換気運転では、二酸化炭素濃度センサ（40）で検出した二酸化炭素濃度に応じて、給気ファン（31）及び排気ファン（32）の風量が適宜調整される。具体的には、例えば二酸化炭素濃度センサ（40）で検出した二酸化炭素濃度が所定値より低い場合には、制御装置（50）は、給気ファン（31）及び排気ファン（32）の風量を増大させる。この結果、室内空間の換気量が増大する。また、例えば二酸化炭素濃度センサ（40）で検出した二酸化炭素濃度が所定値より高い場合には、制御装置（50）は、給気ファン（31）及び排気ファン（32）の風量を低下させる。この結果、給気ファン（31）及び排気ファン（32）の動力を低減できる。
【００４４】
〈センサの取り付け、及び設定部の設定例〉
換気システム（10）では、１つの二酸化炭素濃度センサ（40）を、複数の換気装置（20）の制御に利用できる。まず、二酸化炭素濃度センサ（40）の取り付け、及び設定部（63）の設定例について、具体例を挙げながら説明する。
【００４５】
図４に示す例の換気システム（10）には、４台の換気装置（20）が設けられる。４台の換気装置（20）は、換気装置NO.1（N1）、換気装置NO.2（N2）、換気装置NO.3（N3）、及び換気装置NO.4（N4）によって構成される。二酸化炭素濃度センサ（40）は、換気装置NO.1（N1）に取り付けられる。具体的には、二酸化炭素濃度センサ（40）は、換気装置NO.1（N1）に対応する制御装置（50）の接続端子（52）に接続される。残りの換気装置NO.2（N2）、換気装置NO.3（N3）、及び換気装置NO.4（N4）には、二酸化炭素濃度センサ（40）は取り付けられない。つまり、換気装置NO.2（N2）、換気装置NO.3（N3）、及び換気装置NO.4（N4）に対応する制御装置（50）の各接続端子（52）には、二酸化炭素濃度センサ（40）は接続されない。
【００４６】
施工業者やユーザ等は、二酸化炭素濃度センサ（40）の取り付け状態に応じて、設定部（63）の設定を行う。設定部（63）の設定は、リモコン（60）の操作部（62）を用いて行われる。
【００４７】
本例では、換気装置NO.1（N1）に二酸化炭素濃度センサ（40）が取り付けられるため、換気装置NO.1（N1）を「共有元」（共有元換気装置（20-o））に設定する。本例では、換気装置NO.2（N2）、換気装置NO.3（N3）、及び換気装置NO.4（N4）を「共有先」（共有先換気装置（20-s））に設定する。この結果、換気装置NO.1（N1）の二酸化炭素濃度センサ（40）の検出信号を、全ての換気装置（20）の制御に共用できる。
【００４８】
〈制御動作〉
このような換気装置（20）の制御動作について、図５のフローチャートを参照しながら説明する。
【００４９】
換気運転が開始されると、二酸化炭素濃度センサ（40）が室内空気の二酸化炭素濃度を検出する。本例では、換気装置NO.1（N1）の二酸化炭素濃度センサ（40）により、二酸化炭素濃度を示す検出信号（d1）が検出される。
【００５０】
次いでステップST2では、全ての制御装置（50）の第１送受信部（53）からリモコン（60）の第２送受信部（64）に検出信号が送信される（ステップST1）。本例では、換気装置NO.1（N1）の検出信号が、共有元となる検出信号（d1）となる。一方、他の換気装置NO.2（N2）、換気装置NO.3（N3）、及び換気装置NO.4（N4）の検出信号は実質的にゼロとなる。
【００５１】
次いでステップST3では、設定部（63）で共有元に設定された換気装置（20）（即ち、換気装置NO.1（N1））に対応する検出信号（d1）を、リモコン（60）の第２送受信部（64）から、各換気装置（20）へ送信する。具体的には、第２送受信部（64）は、検出信号（d1）を、共有元換気装置（20-o）である換気装置NO.1（N1）に送信する。同時に、第２送受信部（64）は、検出信号（d1）を、共有先換気装置（20-s）である換気装置NO.2〜NO.4（N2,N3,N4）の各第１送受信部（53）にも送信する。これにより、各制御装置（50）の検出信号が、第２送受信部（64）から送信された検出信号（d1）に書き換えられる。
【００５２】
各制御装置（50）は、このようにして書き換えられた検出信号（d1）に基づき、対応する換気装置（20）を制御する（ステップST4）。具体的には、換気装置NO.1（N1）に対応する制御装置（50）は、検出信号（d1）に基づき換気装置NO.1（N1）の給気ファン（31）及び排気ファン（32）を制御する。換気装置NO.2〜NO.4（N2,N3,N4）の各制御装置（50）は、検出信号（d1）に基づき換気装置NO.2〜NO.4（N2,N3,N4）の給気ファン（31）及び排気ファン（32）を制御する。ここで、これらの換気装置（20）は、同一の室内空間を対象とするため、二酸化炭素濃度センサ（40）を共用しても、適切な換気運転を行うことができる。
【００５３】
本例では、ステップST1〜ステップST4の制御が繰り返し行われる。そして、ステップST5において所定の終了条件が成立すると、換気運転が終了する。
【００５４】
〈異常表示〉
図４に示す例において、例えば換気装置NO.1（N1）の制御装置（50）に二酸化炭素濃度センサ（40）が正しく接続されなかったとする。この場合、第２送受信部（64）には、共有元換気装置（20-o）である換気装置NO.1（N1）の検出信号（d1）が正しく受信されない。この場合、異常判定部（65）は異常を示す信号を出力する。表示部（61）は、この信号を受けて異常を示すサインを表示する。この結果、施工業者やユーザ等は、二酸化炭素濃度センサ（40）の接続ミス、接続不良、故障等を速やかに把握できる。
【００５５】
〈他の設定例１〉
図６の例では、二酸化炭素濃度センサ（40）が換気装置NO.2（N2）に取り付けられる。一方、二酸化炭素濃度センサ（40）は、他の換気装置NO.1（N1）、換気装置NO.3（N3）、及び換気装置NO.4（N4）には取り付けられない。この場合、設定部（63）では、換気装置NO.2（N2）を「共有元」に設定し、換気装置NO.1（N1）、換気装置NO.3（N3）、及び換気装置NO.4（N4）を「共有先」に設定する。この場合、換気装置NO.2（N2）の検出信号（d2）が、リモコン（60）の第２送受信部（64）に送信される。第２送受信部（64）は、この検出信号（d2）を、共有元換気装置（20-o）である換気装置NO.2（N2）と、共有先換気装置（20-s）である換気装置NO.1（N1）、換気装置NO.3（N3）、及び換気装置NO.4（N4）とに送信する。これにより、検出信号（d2）が換気装置NO.1〜NO.4（N1,N2,N3,N4）の制御に共用される。
【００５６】
〈他の設定例２〉
図７の例では、第１二酸化炭素濃度センサ（40a）が換気装置NO.1（N1）に取り付けられ、第２二酸化炭素濃度センサ（40b）が換気装置NO.3（N3）に取り付けられる。本例の設定部（63）では、第１二酸化炭素濃度センサ（40a）の検出信号を、換気装置NO.1（N1）、換気装置NO.2（N2）、及び換気装置NO.4（N4）で共用する。一方、第２二酸化炭素濃度センサ（40b）の検出信号は、単独換気装置（20-i）に設定される換気装置NO.3（N3）のみに利用される。
【００５７】
つまり、設定部（63）では、換気装置NO.1（N1）を「共有元」（共有元換気装置（20-o））に設定し、換気装置NO.2（N2）及び換気装置NO.4（N4）を「共有先」(共有先換気装置（20-s））に設定する。換気装置NO.3（N3）は、「共有元」及び「共有先」に属さない「単独」（単独換気装置（20-i））に設定する。
【００５８】
この場合、第２送受信部（64）は、共有元となる換気装置NO.1（N1）の検出信号（d1）を、共有元となる換気装置NO.1（N1）、及び共有先となる換気装置NO.2（N2）、換気装置NO.4（N4）に送信する。従って、換気装置NO.1（N1）、換気装置NO.2（N2）、及び換気装置NO.4（N4）は、検出信号（d1）に基づいて制御される。
【００５９】
第２送受信部（64）には、換気装置NO.3（N3）の検出信号（d3）も受信される。第２送受信部（64）は、「単独」と設定された換気装置NO.3（N3）に対応する検出信号（d3）を、この換気装置NO.3（N3）の第１送受信部（53）に送信する。換気装置NO.3（N3）に対応する制御装置（50）は、このようにして書き換えられた検出信号（d3）に基づいて換気装置NO.3（N3）を制御する。これにより、「単独」に設定された換気装置NO.3（N3）は、自己に接続された第２二酸化炭素濃度センサ（40b）の検出信号（d3）に基づいて制御される。
【００６０】
〈各換気装置のＯＮ／ＯＦＦについて〉
本実施形態の換気システム（10）では、全ての換気装置（20）をＯＮさせる動作と、全ての換気装置（20）をＯＦＦさせる動作とが切り換えられる。つまり、リモコン（60）の第２送受信部（64）からは、全ての換気装置（20）をＯＮさせる運転指令と、全ての換気装置（20）をＯＦＦさせる運転指令とが、各換気ユニット（U）の制御装置（50）に送信される。一方、リモコン（60）は、全ての換気装置（20）の中の一部をＯＮさせ、残りをＯＦＦさせる運転指令を送信しない。
【００６１】
仮に、二酸化炭素濃度センサ（40）が取り付けられる共有元換気装置（20-o）がＯＦＦ状態となり、検出信号を共有する共有先換気装置（20-s）がＯＮ状態となる運転が行われると、共有先換気装置（20-s）の制御装置（50）に正しい検出信号が送られない。この結果、共有先換気装置（20-s）を適切に制御できなくなる。これに対し、全ての換気装置（20）の中の一部をＯＮさせ、残りをＯＦＦさせる運転を禁止することで、このような不具合を確実に回避できる。
【００６２】
−実施形態の効果−
上記実施形態によれば、共有元換気装置（20-o）に対応する二酸化炭素濃度センサ（40）の検出信号を、第２送受信部（64）から共有元換気装置（20-o）及び共有先換気装置（20-s）の各制御装置（50）に送信する。そして、共有元換気装置（20-o）及び共有先換気装置（20-s）は、この検出信号に基づいて、対応する換気装置（20）を制御する。このため、本実施形態によれば、全ての換気装置（20）にそれぞれ二酸化炭素濃度センサ（40）を設けずとも、各換気装置（20）を制御できる。この結果、二酸化炭素濃度センサ（40）の数量を削減できる。
【００６３】
上記実施形態によれば、リモコン（60）の第２送受信部（64）により、検出信号の授受を行うようにしている。このため、リモコン（60）の運転指令を送信する回線と、検出信号の授受を行うための回線とを共用でき、部品点数を削減できる。
【００６４】
上記実施形態によれば、リモコン（60）に、共有元換気装置（20-o）及び共有先換気装置（20-s）を設定するための設定部（63）を設けている。このため、リモコン（60）の操作部（62）を操作することで、これらの設定を簡単に行うことができる。
【００６５】
設定部（63）では、共有元換気装置（20-o）及び共有先換気装置（20-s）の設定を任意に変更できる。このため、例えば室内空間のレイアウトの変更などに起因して二酸化炭素濃度センサ（40）を取り付ける換気装置（20）を変更した場合にも、これに対応して共有元換気装置（20-o）及び共有先換気装置（20-s）を簡単に変更できる。
【００６６】
上記実施形態によれば、設定部（63）において、二酸化炭素濃度センサ（40）の共有元、及び共有先に属さない単独換気装置（20-i）を設定できる。この結果、自己の二酸化炭素濃度センサ（40）に基づいて換気装置（20）を制御することもできる。
【００６７】
上記実施形態によれば、全ての換気装置（20）の中の一部をＯＮさせ、残りをＯＦＦさせる運転が禁止されている。このため、共有元換気装置（20-o）が停止状態となり、且つ共有先換気装置（20-s）が運転状態になることに起因して、共有先換気装置（20-s）を適切に制御できなくなる不具合を確実に回避できる。
【００６８】
〈変形例〉
上記実施形態において、リモコン（60）は、共有元換気装置（20-o）をＯＦＦさせ、且つ共有先換気装置（20-s）をＯＮさせる運転指令を送信しないように構成されてもよい。例えば、リモコン（60）の設定部（63）に共有元換気装置（20-o）及び共有先換気装置（20-s）が設定された場合、この設定に応じて、上記運転指令が禁止される。具体的には、リモコン（60）では、共有元換気装置（20-o）をＯＦＦ、共有先換気装置（20-s）をＯＮさせる運転指令が禁止される一方、共有元換気装置（20-o）をＯＮ、共有先換気装置（20-s）をＯＦＦさせる運転指令は許容される。このようにしても、共有元換気装置（20-o）が停止状態となり、且つ共有先換気装置（20-s）が運転状態になることに起因して、共有先換気装置（20-s）を適切に制御できなくなる不具合を確実に回避できる。また、共有元換気装置（20-o）だけをＯＮさせながら、該共有元換気装置（20-o）の二酸化炭素濃度センサ（40）に基づいて換気運転を行うことができる。
【００６９】
《その他の実施形態》
上記実施形態及び変形例は、以下のような構成としてもよい。
【００７０】
センサは、空気状態を検出するものであれば、二酸化炭素濃度センサ（40）以外であってもよい。例えばセンサは、空気の温度を検出する温度センサ、空気の湿度を検出する湿度センサ、空気のにおいを検出するにおいセンサ、空気中の他の物質の濃度を検出する濃度センサなどであってもよい。また、センサは、室外空気の空気状態を検出するものであってもよい。
【００７１】
第１送受信部（53）は、信号を受信する部分と、信号を送信する部分とが物理的に別体に構成されていてもよい。この場合には、これらの部分を総称して第１送受信部（53）とする。同様に、第２送受信部（64）は、信号を受信する部分と、信号を送信する部分とが物理的に別体に構成されていてもよい。この場合には、これらの部分を総称して第２送受信部とする。
【００７２】
第２送受信部（64）及び設定部（63）のそれぞれは、必ずしもリモコン（60）に設けられてなくてもよい。
【００７３】
異常判定部（65）が異常を示す信号を出力した場合、メンテナンス業者等に警報したり、発報したりしてもよい。
【００７４】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【００７５】
以上説明したように、本開示は、換気システムについて有用である。
【符号の説明】
【００７６】
１０      換気システム
２０      換気装置
４０      二酸化炭素濃度センサ（センサ）
４０ａ    第１二酸化炭素濃度センサ（センサ）
５０      制御装置
６０      リモコン
６３      設定部
６４      第２送受信部（送受信部）
６５      異常判定部
【図１】
2020008250.tif 000003
【図２】
2020008250.tif 000004
【図３】
2020008250.tif 000005
【図４】
2020008250.tif 000006
【図５】
2020008250.tif 000007
【図６】
2020008250.tif 000008
【図７】
2020008250.tif 000009